(57)【要約】【課題】  ＲＦ信号とＬＯ信号の位相が直交する場合でも、ＢＢ信号又はＩＦ信号の振幅の低下を防止して、データの復調精度を高めることができる受信機を得ることを目的とする。【解決手段】  ＬＰＦ５から出力された周波数ｆ０のＢＢ信号の電圧Ｖを検出する電圧検出装置６と、その電圧検出装置６により検出されたＢＢ信号の電圧Ｖが基準電圧Ｖrefより低い場合、ＬＯ信号発振器２により発振されたＬＯ信号の位相を９０度前にずらす移相装置３とを設け、その移相装置３により位相が９０度前にずらされたＬＯ信号を用いてＲＦ信号を検波する。【選択図】        図１
2007068029.tif 000002
【特許請求の範囲】
【請求項１】
局部発振信号を発振する局部発振信号発振手段と、上記局部発振信号発振手段により発振された局部発振信号を用いて、受信信号を検波する受信信号検波手段と、上記受信信号検波手段により検波された受信信号の電圧を検出する電圧検出手段と、上記電圧検出手段により検出された受信信号の電圧が基準電圧より低い場合、上記局部発振信号発振手段により発振された局部発振信号の位相を９０度前にずらす位相可変手段と、上記電圧検出手段により検出された受信信号の電圧が基準電圧以上であれば、上記受信信号検波手段により検波された受信信号を復調する信号復調手段とを備えた受信機。
【請求項２】
局部発振信号を発振する局部発振信号発振手段と、上記局部発振信号発振手段により発振された局部発振信号を用いて、受信信号を検波する受信信号検波手段と、上記受信信号検波手段により検波された受信信号の電圧を検出する電圧検出手段と、上記電圧検出手段により検出された受信信号の電圧が基準電圧より低い場合、上記受信信号検波手段により検波される前の受信信号の位相を９０度後ろにずらす位相可変手段と、上記電圧検出手段により検出された受信信号の電圧が基準電圧以上であれば、上記受信信号検波手段により検波された受信信号を復調する信号復調手段とを備えた受信機。
【請求項３】
局部発振信号を発振する局部発振信号発振手段と、上記局部発振信号発振手段により発振された局部発振信号を９０度分配して、その局部発振信号と同一の信号である第１の局部発振信号を出力するともに、その局部発振信号より位相が９０度遅れている第２の局部発振信号を出力する９０度分配手段と、上記９０度分配手段から出力された第１の局部発振信号を用いて、受信信号を検波するとともに、上記９０度分配手段から出力された第２の局部発振信号を用いて、受信信号を検波する受信信号検波手段と、上記受信信号検波手段により第１の局部発振信号を用いて検波された受信信号と第２の局部発振信号を用いて検波された受信信号の振幅を比較し、その振幅が高い方の受信信号を選択する受信信号選択手段と、上記受信信号選択手段により選択された受信信号を復調する信号復調手段とを備えた受信機。
【請求項４】
局部発振信号を発振する局部発振信号発振手段と、受信信号を９０度分配して、その受信信号と同一の信号である第１の受信信号を出力するとともに、その受信信号より位相が９０度遅れている第２の受信信号を出力する９０度分配手段と、上記局部発振信号発振手段により発振された局部発振信号を用いて、第１の受信信号を検波するとともに、その局部発振信号を用いて、第２の受信信号を検波する受信信号検波手段と、上記受信信号検波手段により検波された第１の受信信号と第２の受信信号の振幅を比較し、その振幅が高い方の受信信号を選択する受信信号選択手段と、上記受信信号選択手段により選択された受信信号を復調する信号復調手段とを備えた受信機。
【請求項５】
送信機から送信された信号を受信するアンテナと、局部発振信号を発振する局部発振信号発振手段と、上記局部発振信号発振手段により発振された局部発振信号を用いて、上記アンテナの受信信号を検波する受信信号検波手段と、上記受信信号検波手段により検波された受信信号の電圧を検出する電圧検出手段と、上記電圧検出手段により検出された受信信号の電圧が基準電圧より低い場合、送信信号の位相を９０度後ろにずらすことを要求する制御信号を上記送信機に送信する制御手段と、上記電圧検出手段により検出された受信信号の電圧が基準電圧以上であれば、上記受信信号検波手段により検波された受信信号を復調する信号復調手段とを備えた受信機。
【請求項６】
位相可変手段は、局部発振信号発振手段により発振された局部発振信号を９０度分配して、その局部発振信号と同一の信号である第１の局部発振信号を出力するともに、その局部発振信号より位相が９０度遅れている第２の局部発振信号を出力する９０度分配器と、電圧検出手段により検出された受信信号の電圧と基準電圧を比較し、その比較結果に応じて第１の局部発振信号又は第２の局部発振信号を受信信号検波手段に与えるスイッチとから構成されていることを特徴とする請求項１記載の受信機。
【発明の詳細な説明】
【技術分野】
【０００１】
この発明は、局部発振信号であるＬＯ信号を用いて、受信信号であるＲＦ信号を検波する受信機に関するものである。
【背景技術】
【０００２】
従来の受信機は、アンテナが送信機から送信された変調信号であるＲＦ信号を受信すると、ミキサが局部発振信号であるＬＯ信号を用いて、そのＲＦ信号をホモダイン検波又はヘテロダイン検波することにより、そのＲＦ信号をベースバンド信号（以下、ＢＢ信号と称する）又は中間周波数信号（以下、ＩＦ信号と称する）に変換する。
ただし、ミキサがＲＦ信号をホモダイン検波又はヘテロダイン検波して、そのＲＦ信号をＢＢ信号又はＩＦ信号に変換する際、そのＲＦ信号とＬＯ信号の位相が直交していると、そのＢＢ信号又はＩＦ信号の振幅が低下してしまうため、そのＢＢ信号又はＩＦ信号に対する復調処理を実施しても、データを正しく復調することができなくなることがある。
【０００３】
なお、以下の特許文献１には、ＬＯ信号の位相をπ／４ラジアンだけずらす可変移相器が開示されているが、この可変移相器は、ＲＦ信号に含まれている直流成分をキャンセルするためにＬＯ信号の位相をずらすものであり、ＲＦ信号とＬＯ信号の位相が直交しているときにＬＯ信号の位相をずらして、ＢＢ信号又はＩＦ信号の振幅の低下を抑制するものではない。
【０００４】
【特許文献１】特開２００４−１２０６９２号公報（段落番号［００６９］、図１）
【発明の開示】
【発明が解決しようとする課題】
【０００５】
従来の受信機は以上のように構成されているので、ミキサがＲＦ信号をホモダイン検波又はヘテロダイン検波して、そのＲＦ信号をＢＢ信号又はＩＦ信号に変換する際、そのＲＦ信号とＬＯ信号の位相が直交していると、そのＢＢ信号又はＩＦ信号の振幅が低下し、そのＢＢ信号又はＩＦ信号に対する復調処理を実施しても、データを正しく復調することができなくなることがある課題があった。
【０００６】
この発明は上記のような課題を解決するためになされたもので、ＲＦ信号とＬＯ信号の位相が直交する場合でも、ＢＢ信号又はＩＦ信号の振幅の低下を防止して、データの復調精度を高めることができる受信機を得ることを目的とする。
【課題を解決するための手段】
【０００７】
この発明に係る受信機は、受信信号検波手段により検波された受信信号の電圧を検出する電圧検出手段と、その電圧検出手段により検出された受信信号の電圧が基準電圧より低い場合、局部発振信号発振手段により発振された局部発振信号の位相を９０度前にずらす位相可変手段とを設け、その位相可変手段により位相が９０度前にずらされた局部発振信号を用いて受信信号を検波するようにしたものである。
【発明の効果】
【０００８】
以上のように、この発明によれば、受信信号検波手段により検波された受信信号の電圧を検出する電圧検出手段と、その電圧検出手段により検出された受信信号の電圧が基準電圧より低い場合、局部発振信号発振手段により発振された局部発振信号の位相を９０度前にずらす位相可変手段とを設け、その位相可変手段により位相が９０度前にずらされた局部発振信号を用いて受信信号を検波するように構成したので、アンテナの受信信号と局部発振信号の位相が直交する場合でも、受信信号検波手段により検波された受信信号の振幅の低下を防止して、データの復調精度を高めることができる効果がある。
【発明を実施するための最良の形態】
【０００９】
実施の形態１．
図１はこの発明の実施の形態１による受信機を示す構成図であり、図２はこの発明の実施の形態１による受信機が取り扱う信号の波形を示す説明図である。
また、図３はこの発明の実施の形態１による受信機が取り扱う信号のスペクトラムを示す説明図である。
図において、アンテナ１は送信機から送信された周波数ｆ１のＡＳＫ変調信号であるＲＦ信号を受信すると、そのＲＦ信号をミキサ４に出力する。
ＬＯ信号発振器２は局部発振信号であるＬＯ信号を発振する局部発振信号発振手段を構成している。
【００１０】
移相装置３は制御装置７から位相の変更要求（制御信号）を受けていなければ、ＬＯ信号発振器２により発振されたＬＯ信号の位相を変えることなく、そのままＬＯ信号をミキサ４に与えるが、制御装置７から位相の変更要求（制御信号）を受けると、ＬＯ信号発振器２により発振されたＬＯ信号の位相を９０度前にずらし、位相変更後のＬＯ信号をミキサ４に与える処理を実施する。
ミキサ４は移相装置３から出力されたＬＯ信号を用いて、アンテナ１から出力されたＲＦ信号をホモダイン検波又はヘテロダイン検波することにより、そのＲＦ信号をベースバンド信号（以下、ＢＢ信号と称する）又は中間周波数信号（以下、ＩＦ信号と称する）に変換し、周波数ｆ０と周波数２ｆ１のＢＢ信号又はＩＦ信号を出力する。
この実施の形態１では、説明の便宜上、ミキサ４がＲＦ信号をＢＢ信号に変換するものとして、以下の説明を行う。
ＬＰＦ５はカットオフ周波数がｆｃのローパスフィルタであり、ミキサ４から周波数ｆ０と周波数２ｆ１のＢＢ信号を受けると、周波数２ｆ１のＢＢ信号の通過を阻止して、周波数ｆ０のＢＢ信号のみを電圧検出装置６に出力する。
なお、ミキサ４及びＬＰＦ５から受信信号検波手段が構成されている。
【００１１】
電圧検出装置６はＬＰＦ５から出力された周波数ｆ０のＢＢ信号の電圧Ｖを検出する処理を実施する。なお、電圧検出装置６は電圧検出手段を構成している。
制御装置７は電圧検出装置６により検出されたＢＢ信号の電圧Ｖが基準電圧Ｖrefより低い場合、ＬＯ信号発振器２により発振された局部発振信号の位相を９０度前にずらす変更要求（制御信号）を移相装置３に出力する。
なお、移相装置３及び制御装置７から位相可変手段が構成されている。
【００１２】
上位・復調装置８は電圧検出装置６により検出されたＢＢ信号の電圧Ｖが基準電圧Ｖref以上であれば、ＬＰＦ５から出力された周波数ｆ０のＢＢ信号に対する復調処理を実施して、データを復調する処理を実施する。なお、上位・復調装置８は信号復調手段を構成している。
図４はこの発明の実施の形態１による受信機の処理内容を示すフローチャートである。
【００１３】
次に動作について説明する。
送信機が例えば周波数ｆ１のＡＳＫ変調信号であるＲＦ信号の送信を開始すると、アンテナ１が周波数ｆ１のＲＦ信号を受信し、そのＲＦ信号をミキサ４に出力する（ステップＳＴ１）。
一方、受信機のＬＯ信号発振器２は、図２（ａ）に示すようなＬＯ信号を発振し、そのＬＯ信号を移相装置３に出力する（ステップＳＴ２）。
【００１４】
移相装置３は、制御装置７から位相の変更要求（制御信号）を受けると、ＬＯ信号発振器２により発振されたＬＯ信号の位相を９０度前にずらす処理を実施するが、制御装置７から位相の変更要求（制御信号）を受けていなければ、ＬＯ信号発振器２により発振されたＬＯ信号の位相を変えることなく、そのままＬＯ信号をミキサ４に与える。
ここでは、説明の便宜上、制御装置７から位相の変更要求（制御信号）を受けていないものとし、移相装置３がＬＯ信号発振器２により発振されたＬＯ信号をそのままミキサ４に与えるものとする。
即ち、移相装置３が図２（ａ）のＬＯ信号をミキサ４に与えるものとする。
【００１５】
ミキサ４は、アンテナ１から図２（ａ）のＲＦ信号を受け、移相装置３から図２（ａ）のＬＯ信号を受けると、そのＬＯ信号を用いて、そのＲＦ信号をホモダイン検波又はヘテロダイン検波することにより、そのＲＦ信号を周波数ｆ０と周波数２ｆ１のＢＢ信号に変換し（図３を参照）、周波数ｆ０と周波数２ｆ１のＢＢ信号をＬＰＦ５に出力する（ステップＳＴ３）。
なお、図２（ａ）の場合、ＲＦ信号とＬＯ信号の位相は直交している。
【００１６】
ＬＰＦ５は、カットオフ周波数がｆｃのローパスフィルタであるので、ミキサ４から周波数ｆ０と周波数２ｆ１のＢＢ信号を受けると、そのカットオフ周波数ｆｃより高い周波数２ｆ１のＢＢ信号の通過を阻止して、周波数ｆ０のＢＢ信号のみを電圧検出装置６に出力する（ステップＳＴ４）。
電圧検出装置６は、ＬＰＦ５から周波数ｆ０のＢＢ信号を受けると、そのＢＢ信号の電圧Ｖを検出する処理を実施する（ステップＳＴ５）。
ここでは、上述したように、ＲＦ信号とＬＯ信号の位相が直交しているため、電圧検出装置６により検出される周波数ｆ０のＢＢ信号の電圧Ｖは略ゼロになる。
【００１７】
制御装置７は、電圧検出装置６がＢＢ信号の電圧Ｖを検出すると、そのＢＢ信号の電圧Ｖを基準電圧Ｖrefと比較する（ステップＳＴ６）。
ここで、基準電圧Ｖrefは、上位・復調装置８がデータを正しく復調することが可能な電圧の下限値より若干高めに設定される。通常、０〜１Ｖの範囲の値に設定される。
制御装置７は、ＢＢ信号の電圧Ｖが基準電圧Ｖrefより低い場合、上位・復調装置８がデータを正しく復調することができないので、ＬＯ信号発振器２により発振された局部発振信号の位相を９０度前にずらす変更要求（制御信号）を移相装置３に出力する。
この例では、電圧検出装置６により検出される周波数ｆ０のＢＢ信号の電圧Ｖは略ゼロであるため、制御装置７が位相の変更要求（制御信号）を移相装置３に出力する。
【００１８】
移相装置３は、制御装置７から位相の変更要求（制御信号）を受けると、図２（ｂ）に示すように、ＬＯ信号発振器２により発振されたＬＯ信号の位相を９０度前にずらす処理を実施し、位相変更後のＬＯ信号をミキサ４に与えるようにする（ステップＳＴ７）。
図２（ｂ）において、点線が位相変更前のＬＯ信号であり、実線が位相変更後のＬＯ信号である。
これにより、図２（ｂ）では、ＲＦ信号とＬＯ信号の位相が直交していない状態に変化している。
【００１９】
ミキサ４は、アンテナ１から図２（ｂ）のＲＦ信号を受け（図２（ａ）のＲＦ信号と同じ）、移相装置３から図２（ｂ）のＬＯ信号を受けると、そのＬＯ信号を用いて、そのＲＦ信号をホモダイン検波又はヘテロダイン検波することにより、そのＲＦ信号を周波数ｆ０と周波数２ｆ１のＢＢ信号に変換し（図３を参照）、周波数ｆ０と周波数２ｆ１のＢＢ信号をＬＰＦ５に出力する（ステップＳＴ３）。
【００２０】
ＬＰＦ５は、カットオフ周波数がｆｃのローパスフィルタであるので、ミキサ４から周波数ｆ０と周波数２ｆ１のＢＢ信号を受けると、そのカットオフ周波数ｆｃより高い周波数２ｆ１のＢＢ信号の通過を阻止して、周波数ｆ０のＢＢ信号のみを電圧検出装置６に出力する（ステップＳＴ４）。
電圧検出装置６は、ＬＰＦ５から周波数ｆ０のＢＢ信号を受けると、そのＢＢ信号の電圧Ｖを検出する処理を実施する（ステップＳＴ５）。
ここでは、上述したように、ＲＦ信号とＬＯ信号の位相が直交していないため、電圧検出装置６により検出される周波数ｆ０のＢＢ信号の電圧Ｖは約５ボルトになる。
【００２１】
制御装置７は、電圧検出装置６がＢＢ信号の電圧Ｖを検出すると、そのＢＢ信号の電圧Ｖを基準電圧Ｖrefと比較する（ステップＳＴ６）。
制御装置７は、ＢＢ信号の電圧Ｖが基準電圧Ｖrefより低い場合、上位・復調装置８がデータを正しく復調することができないので、ＬＯ信号発振器２により発振された局部発振信号の位相を９０度前にずらす変更要求（制御信号）を移相装置３に出力するが、ここでは、電圧検出装置６により検出されたＢＢ信号の電圧Ｖが約５ボルトであり、基準電圧Ｖrefより低くないので、位相の変更要求（制御信号）を移相装置３に出力しない。即ち、ＲＦ信号とＬＯ信号の位相の関係が図２（ｂ）の関係を維持するようにする。
【００２２】
上位・復調装置８は、電圧検出装置６により検出されたＢＢ信号の電圧Ｖが基準電圧Ｖref以上になると、ＬＰＦ５から出力された周波数ｆ０のＢＢ信号に対する復調処理を実施して、データを復調する処理を実施する（ステップＳＴ８）。
したがって、上位・復調装置８は、ＲＦ信号とＬＯ信号の位相の関係が図２（ａ）の関係になるときは、データの復調処理を実施しないが、ＲＦ信号とＬＯ信号の位相の関係が図２（ｂ）の関係になると、データの復調処理を実施する。
【００２３】
以上で明らかなように、この実施の形態１によれば、ＬＰＦ５から出力された周波数ｆ０のＢＢ信号の電圧Ｖを検出する電圧検出装置６と、その電圧検出装置６により検出されたＢＢ信号の電圧Ｖが基準電圧Ｖrefより低い場合、ＬＯ信号発振器２により発振されたＬＯ信号の位相を９０度前にずらす移相装置３とを設け、その移相装置３により位相が９０度前にずらされたＬＯ信号を用いてＲＦ信号を検波するように構成したので、アンテナ１により受信されたＲＦ信号とＬＯ信号の位相が直交する場合でも、ミキサ４により変換されたＢＢ信号の振幅の低下を防止して、データの復調精度を高めることができる効果を奏する。
【００２４】
実施の形態２．
図５はこの発明の実施の形態２による受信機を示す構成図であり、図６はこの発明の実施の形態２による受信機が取り扱う信号の波形を示す説明図である。図において、図１と同一符号は同一または相当部分を示すので説明を省略する。
制御装置９は電圧検出装置６により検出されたＢＢ信号の電圧Ｖが基準電圧Ｖrefより低い場合、アンテナ１により受信されたＲＦ信号の位相を９０度後ろにずらす変更要求（制御信号）を移相装置１０に出力する。
移相装置１０は制御装置９から位相の変更要求（制御信号）を受けていなければ、アンテナ１により受信されたＲＦ信号の位相を変えることなく、そのままＲＦ信号をミキサ４に与えるが、制御装置９から位相の変更要求（制御信号）を受けると、アンテナ１により受信されたＲＦ信号の位相を９０度後ろにずらし、位相変更後のＲＦ信号をミキサ４に与える処理を実施する。なお、移相装置９及び制御装置１０から位相可変手段が構成されている。
図７はこの発明の実施の形態２による受信機の処理内容を示すフローチャートである。
【００２５】
次に動作について説明する。
送信機が例えば周波数ｆ１のＡＳＫ変調信号であるＲＦ信号の送信を開始すると、アンテナ１が周波数ｆ１のＲＦ信号を受信し、そのＲＦ信号を移相装置１０に出力する（ステップＳＴ１）。
一方、受信機のＬＯ信号発振器２は、図６（ａ）に示すようなＬＯ信号を発振し、そのＬＯ信号をミキサ４に出力する（ステップＳＴ２）。
【００２６】
移相装置１０は、制御装置９から位相の変更要求（制御信号）を受けると、アンテナ１により受信されたＲＦ信号の位相を９０度後ろにずらす処理を実施するが、制御装置９から位相の変更要求（制御信号）を受けていなければ、アンテナ１により受信されたＲＦ信号の位相を変えることなく、そのままＲＦ信号をミキサ４に与える。
ここでは、説明の便宜上、制御装置９から位相の変更要求（制御信号）を受けていないものとし、移相装置１０がアンテナ１により受信されたＲＦ信号をそのままミキサ４に与えるものとする。
即ち、移相装置１０が図６（ａ）のＲＦ信号をミキサ４に与えるものとする。
【００２７】
ミキサ４は、移相装置１０から図６（ａ）のＲＦ信号を受け、ＬＯ信号発振器２から図６（ａ）のＬＯ信号を受けると、そのＬＯ信号を用いて、そのＲＦ信号をホモダイン検波又はヘテロダイン検波することにより、そのＲＦ信号を周波数ｆ０と周波数２ｆ１のＢＢ信号に変換し（図３を参照）、周波数ｆ０と周波数２ｆ１のＢＢ信号をＬＰＦ５に出力する（ステップＳＴ３）。
なお、図６（ａ）の場合、ＲＦ信号とＬＯ信号の位相は直交している。
【００２８】
ＬＰＦ５は、カットオフ周波数がｆｃのローパスフィルタであるので、ミキサ４から周波数ｆ０と周波数２ｆ１のＢＢ信号を受けると、そのカットオフ周波数ｆｃより高い周波数２ｆ１のＢＢ信号の通過を阻止して、周波数ｆ０のＢＢ信号のみを電圧検出装置６に出力する（ステップＳＴ４）。
電圧検出装置６は、ＬＰＦ５から周波数ｆ０のＢＢ信号を受けると、そのＢＢ信号の電圧Ｖを検出する処理を実施する（ステップＳＴ５）。
ここでは、上述したように、ＲＦ信号とＬＯ信号の位相が直交しているため、電圧検出装置６により検出される周波数ｆ０のＢＢ信号の電圧Ｖは略ゼロになる。
【００２９】
制御装置９は、電圧検出装置６がＢＢ信号の電圧Ｖを検出すると、そのＢＢ信号の電圧Ｖを基準電圧Ｖrefと比較する（ステップＳＴ６）。
ここで、基準電圧Ｖrefは、上位・復調装置８がデータを正しく復調することが可能な電圧の下限値より若干高めに設定される。通常、０〜１Ｖの範囲の値に設定される。
制御装置９は、ＢＢ信号の電圧Ｖが基準電圧Ｖrefより低い場合、上位・復調装置８がデータを正しく復調することができないので、アンテナ１により受信されたＲＦ信号の位相を９０度後ろにずらす変更要求（制御信号）を移相装置１０に出力する。
この例では、電圧検出装置６により検出される周波数ｆ０のＢＢ信号の電圧Ｖは略ゼロであるため、制御装置９が位相の変更要求（制御信号）を移相装置３に出力する。
【００３０】
移相装置１０は、制御装置９から位相の変更要求（制御信号）を受けると、図６（ｂ）に示すように、アンテナ１により受信されたＲＦ信号の位相を９０度後ろにずらす処理を実施し、位相変更後のＲＦ信号をミキサ４に与えるようにする（ステップＳＴ１１）。
図６（ｂ）において、点線が位相変更前のＲＦ信号であり、実線が位相変更後のＲＦ信号である。
これにより、図６（ｂ）では、ＲＦ信号とＬＯ信号の位相が直交していない状態に変化している。
【００３１】
ミキサ４は、移相装置１０から図６（ｂ）のＲＦ信号を受け、ＬＯ信号発振器２から図６（ｂ）のＬＯ信号（図６（ａ）のＬＯ信号と同じ）を受けると、そのＬＯ信号を用いて、そのＲＦ信号をホモダイン検波又はヘテロダイン検波することにより、そのＲＦ信号を周波数ｆ０と周波数２ｆ１のＢＢ信号に変換し（図３を参照）、周波数ｆ０と周波数２ｆ１のＢＢ信号をＬＰＦ５に出力する（ステップＳＴ３）。
【００３２】
ＬＰＦ５は、カットオフ周波数がｆｃのローパスフィルタであるので、ミキサ４から周波数ｆ０と周波数２ｆ１のＢＢ信号を受けると、そのカットオフ周波数ｆｃより高い周波数２ｆ１のＢＢ信号の通過を阻止して、周波数ｆ０のＢＢ信号のみを電圧検出装置６に出力する（ステップＳＴ４）。
電圧検出装置６は、ＬＰＦ５から周波数ｆ０のＢＢ信号を受けると、そのＢＢ信号の電圧Ｖを検出する処理を実施する（ステップＳＴ５）。
ここでは、上述したように、ＲＦ信号とＬＯ信号の位相が直交していないため、電圧検出装置６により検出される周波数ｆ０のＢＢ信号の電圧Ｖは約５ボルトになる。
【００３３】
制御装置９は、電圧検出装置６がＢＢ信号の電圧Ｖを検出すると、そのＢＢ信号の電圧Ｖを基準電圧Ｖrefと比較する（ステップＳＴ６）。
制御装置９は、ＢＢ信号の電圧Ｖが基準電圧Ｖrefより低い場合、上位・復調装置８がデータを正しく復調することができないので、アンテナ１により受信されたＲＦ信号の位相を９０度後ろにずらす変更要求（制御信号）を移相装置３に出力するが、ここでは、電圧検出装置６により検出されたＢＢ信号の電圧Ｖが約５ボルトであり、基準電圧Ｖrefより低くないので、位相の変更要求（制御信号）を移相装置１０に出力しない。即ち、ＲＦ信号とＬＯ信号の位相の関係が図６（ｂ）の関係を維持するようにする。
【００３４】
上位・復調装置８は、電圧検出装置６により検出されたＢＢ信号の電圧Ｖが基準電圧Ｖref以上になると、ＬＰＦ５から出力された周波数ｆ０のＢＢ信号に対する復調処理を実施して、データを復調する処理を実施する（ステップＳＴ８）。
したがって、上位・復調装置８は、ＲＦ信号とＬＯ信号の位相の関係が図６（ａ）の関係になるときは、データの復調処理を実施しないが、ＲＦ信号とＬＯ信号の位相の関係が図６（ｂ）の関係になると、データの復調処理を実施する。
【００３５】
以上で明らかなように、この実施の形態２によれば、ＬＰＦ５から出力された周波数ｆ０のＢＢ信号の電圧Ｖを検出する電圧検出装置６と、その電圧検出装置６により検出されたＢＢ信号の電圧Ｖが基準電圧Ｖrefより低い場合、アンテナ１により受信されたＲＦ信号の位相を９０度後ろにずらす移相装置１０とを設け、その移相装置１０により位相が９０度後ろにずらされたＲＦ信号を検波するように構成したので、アンテナ１により受信されたＲＦ信号とＬＯ信号の位相が直交する場合でも、ミキサ４により変換されたＢＢ信号の振幅の低下を防止して、データの復調精度を高めることができる効果を奏する。
【００３６】
実施の形態３．
図８はこの発明の実施の形態３による受信機を示す構成図であり、図９はこの発明の実施の形態３による受信機が取り扱う信号の波形を示す説明図である。図において、図１と同一符号は同一または相当部分を示すので説明を省略する。
９０°分配器１１はＬＯ信号発振器２により発振されたＬＯ信号を９０度分配して、そのＬＯ信号と同一の信号であるＬＯ信号（０）を出力するとともに、そのＬＯ信号より位相が９０度遅れているＬＯ信号（９０）を出力する。なお、９０°分配器１１は９０度分配手段を構成している。
【００３７】
同相分配器１２はアンテナ１により受信されたＲＦ信号を同相分配し、同じＲＦ信号をミキサ１３ａとミキサ１３ｂに出力する。
ミキサ１３ａは９０°分配器１１から出力されたＬＯ信号（９０）を用いて、同相分配器１２により同相分配されたＲＦ信号をホモダイン検波又はヘテロダイン検波することにより、そのＲＦ信号をＢＢ信号（９０）又はＩＦ信号（９０）に変換し、周波数ｆ０と周波数２ｆ１のＢＢ信号（９０）又はＩＦ信号（９０）を出力する。
ミキサ１３ｂは９０°分配器１１から出力されたＬＯ信号（０）を用いて、同相分配器１２により同相分配されたＲＦ信号をホモダイン検波又はヘテロダイン検波することにより、そのＲＦ信号をＢＢ信号（０）又はＩＦ信号（０）に変換し、周波数ｆ０と周波数２ｆ１のＢＢ信号（０）又はＩＦ信号（０）を出力する。
この実施の形態３では、説明の便宜上、ミキサ１３ａ，１３ｂがＲＦ信号をＢＢ信号に変換するものとして、以下の説明を行う。
【００３８】
ＬＰＦ１４ａはカットオフ周波数がｆｃのローパスフィルタであり、ミキサ１３ａから周波数ｆ０と周波数２ｆ１のＢＢ信号（９０）を受けると、周波数２ｆ１のＢＢ信号（９０）の通過を阻止して、周波数ｆ０のＢＢ信号（９０）のみを選択装置１５に出力する。
ＬＰＦ１４ｂはカットオフ周波数がｆｃのローパスフィルタであり、ミキサ１３ｂから周波数ｆ０と周波数２ｆ１のＢＢ信号（０）を受けると、周波数２ｆ１のＢＢ信号（０）の通過を阻止して、周波数ｆ０のＢＢ信号（０）のみを選択装置１５に出力する。
なお、同相分配器１２、ミキサ１３ａ，１３ｂ及びＬＰＦ１４ａ，１４ｂから受信信号検波手段が構成されている。
【００３９】
選択装置１５はＬＰＦ１４ａから出力されたＢＢ信号（９０）とＬＰＦ１４ｂから出力されたＢＢ信号（０）の振幅を比較し、その振幅が高い方のＢＢ信号を選択して上位・復調装置８に出力する処理を実施する。なお、選択装置１５は受信信号選択手段を構成している。
図１０はこの発明の実施の形態３による受信機の処理内容を示すフローチャートである。
【００４０】
次に動作について説明する。
送信機が例えば周波数ｆ１のＡＳＫ変調信号であるＲＦ信号の送信を開始すると、アンテナ１が周波数ｆ１のＲＦ信号を受信し、そのＲＦ信号を同相分配器１２に出力する（ステップＳＴ２１）。
同相分配器１２は、アンテナ１からＲＦ信号を受けると、そのＲＦ信号を同相分配し、同じＲＦ信号をミキサ１３ａとミキサ１３ｂに出力する（ステップＳＴ２２）。
【００４１】
一方、受信機のＬＯ信号発振器２は、ＬＯ信号を発振し、そのＬＯ信号を９０°分配器１１に出力する（ステップＳＴ２３）。
９０°分配器１１は、ＬＯ信号発振器２からＬＯ信号を受けると、図９に示すように、そのＬＯ信号を９０度分配して、そのＬＯ信号と同一の信号であるＬＯ信号（０）をミキサ１３ｂに出力するとともに、そのＬＯ信号より位相が９０度遅れているＬＯ信号（９０）をミキサ１３ａに出力する（ステップＳＴ２４）。
【００４２】
ミキサ１３ａは、同相分配器１２から図９のＲＦ信号を受け、９０°分配器１１から図９のＬＯ信号（９０）を受けると、そのＬＯ信号（９０）を用いて、そのＲＦ信号をホモダイン検波又はヘテロダイン検波することにより、そのＲＦ信号を周波数ｆ０と周波数２ｆ１のＢＢ信号（９０）に変換し、周波数ｆ０と周波数２ｆ１のＢＢ信号（９０）をＬＰＦ１４ａに出力する（ステップＳＴ２５）。
なお、図９の例では、ＲＦ信号とＬＯ信号（９０）の位相は直交していない。
【００４３】
また、ミキサ１３ｂは、同相分配器１２から図９のＲＦ信号を受け、９０°分配器１１から図９のＬＯ信号（０）を受けると、そのＬＯ信号（０）を用いて、そのＲＦ信号をホモダイン検波又はヘテロダイン検波することにより、そのＲＦ信号を周波数ｆ０と周波数２ｆ１のＢＢ信号（０）に変換し、周波数ｆ０と周波数２ｆ１のＢＢ信号（０）をＬＰＦ１４ｂに出力する（ステップＳＴ２６）。
なお、図９の例では、ＲＦ信号とＬＯ信号（０）の位相が直交している。
【００４４】
ＬＰＦ１４ａは、カットオフ周波数がｆｃのローパスフィルタであるので、ミキサ１３ａから周波数ｆ０と周波数２ｆ１のＢＢ信号（９０）を受けると、そのカットオフ周波数ｆｃより高い周波数２ｆ１のＢＢ信号（９０）の通過を阻止して、周波数ｆ０のＢＢ信号（９０）のみを選択装置１５に出力する（ステップＳＴ２７）。
また、ＬＰＦ１４ｂも、カットオフ周波数がｆｃのローパスフィルタであるので、ミキサ１３ｂから周波数ｆ０と周波数２ｆ１のＢＢ信号（０）を受けると、そのカットオフ周波数ｆｃより高い周波数２ｆ１のＢＢ信号（０）の通過を阻止して、周波数ｆ０のＢＢ信号（０）のみを選択装置１５に出力する（ステップＳＴ２８）。
【００４５】
選択装置１５は、ＬＰＦ１４ａからＢＢ信号（９０）を受け、ＬＰＦ１４ｂからＢＢ信号（０）を受けると、そのＢＢ信号（９０）とＢＢ信号（０）の振幅を比較し（ステップＳＴ２９）、その振幅が高い方のＢＢ信号を選択して上位・復調装置８に出力する（ステップＳＴ３０，ＳＴ３１）。
図９の例では、ＲＦ信号とＬＯ信号（０）の位相が直交しているので、ＢＢ信号（０）の振幅が低くなり、ＢＢ信号（９０）の振幅の方が高くなるので、ＢＢ信号（９０）を選択して上位・復調装置８に出力する。
上位・復調装置８は、選択装置１５からＢＢ信号を受けると、そのＢＢ信号に対する復調処理を実施して、データを復調する処理を実施する（ステップＳＴ３２）。
【００４６】
以上で明らかなように、この実施の形態３によれば、９０°分配器１１から出力されたＬＯ信号（９０）を用いてＲＦ信号を検波することにより、そのＲＦ信号をＢＢ信号（９０）に変換するとともに、９０°分配器１１から出力されたＬＯ信号（０）を用いてＲＦ信号を検波することにより、そのＲＦ信号をＢＢ信号（０）に変換し、そのＢＢ信号（９０）とＢＢ信号（０）の振幅を比較して、その振幅が高い方のＢＢ信号を選択するように構成したので、アンテナ１により受信されたＲＦ信号とＬＯ信号の位相が直交する場合でも、上位・復調装置８に出力されるＢＢ信号の振幅の低下を防止して、データの復調精度を高めることができる効果を奏する。
【００４７】
実施の形態４．
図１１はこの発明の実施の形態４による受信機を示す構成図であり、図１２はこの発明の実施の形態４による受信機が取り扱う信号の波形を示す説明図である。図において、図８と同一符号は同一または相当部分を示すので説明を省略する。
同相分配器１６はＬＯ信号発振器２により発振されたＬＯ信号を同相分配し、同じＬＯ信号をミキサ１８ａとミキサ１８ｂに出力する。
なお、ＬＯ信号発振器２及び同相分配器１６から局部発振信号発振手段が構成されている。
９０°分配器１７はアンテナ１により受信されたＲＦ信号を９０度分配して、そのＲＦ信号と同一の信号であるＲＦ信号（０）を出力するとともに、そのＲＦ信号より位相が９０度遅れているＲＦ信号（９０）を出力する。なお、９０°分配器１７は９０度分配手段を構成している。
【００４８】
ミキサ１８ａは同相分配器１６により同相分配されたＬＯ信号を用いて、９０°分配器１１から出力されたＲＦ信号（９０）をホモダイン検波又はヘテロダイン検波することにより、そのＲＦ信号をＢＢ信号（９０）又はＩＦ信号（９０）に変換し、周波数ｆ０と周波数２ｆ１のＢＢ信号（９０）又はＩＦ信号（９０）を出力する。
ミキサ１８ｂは同相分配器１６により同相分配されたＬＯ信号を用いて、９０°分配器１１から出力されたＲＦ信号（０）をホモダイン検波又はヘテロダイン検波することにより、そのＲＦ信号をＢＢ信号（０）又はＩＦ信号（０）に変換し、周波数ｆ０と周波数２ｆ１のＢＢ信号（０）又はＩＦ信号（０）を出力する。
この実施の形態４では、説明の便宜上、ミキサ１８ａ，１８ｂがＲＦ信号をＢＢ信号に変換するものとして、以下の説明を行う。
なお、ミキサ１８ａ，１８ｂ及びＬＰＦ１４ａ，１４ｂから受信信号検波手段が構成されている。
図１３はこの発明の実施の形態４による受信機の処理内容を示すフローチャートである。
【００４９】
次に動作について説明する。
送信機が例えば周波数ｆ１のＡＳＫ変調信号であるＲＦ信号の送信を開始すると、アンテナ１が周波数ｆ１のＲＦ信号を受信し、そのＲＦ信号を９０°分配器１７に出力する（ステップＳＴ４１）。
９０°分配器１７は、アンテナ１からＲＦ信号を受けると、そのＲＦ信号を図１２に示すように、そのＲＦ信号を９０度分配して、そのＲＦ信号と同一の信号であるＲＦ信号（０）をミキサ１８ｂに出力するとともに、そのＲＦ信号より位相が９０度遅れているＲＦ信号（９０）をミキサ１８ａに出力する（ステップＳＴ４２）。
【００５０】
一方、受信機のＬＯ信号発振器２は、ＬＯ信号を発振し、そのＬＯ信号を同相分配器１６に出力する（ステップＳＴ４３）。
同相分配器１６は、ＬＯ信号発振器２からＬＯ信号を受けると、そのＬＯ信号を同相分配し、同じＬＯ信号をミキサ１８ａとミキサ１８ｂに出力する（ステップＳＴ４４）。
【００５１】
ミキサ１８ａは、９０°分配器１７から図１２のＲＦ信号（９０）を受け、同相分配器１６から図１２のＬＯ信号を受けると、そのＬＯ信号を用いて、そのＲＦ信号（９０）をホモダイン検波又はヘテロダイン検波することにより、そのＲＦ信号（９０）を周波数ｆ０と周波数２ｆ１のＢＢ信号（９０）に変換し、周波数ｆ０と周波数２ｆ１のＢＢ信号（９０）をＬＰＦ１４ａに出力する（ステップＳＴ４５）。
なお、図１２の例では、ＲＦ信号（９０）とＬＯ信号の位相は直交していない。
【００５２】
また、ミキサ１８ｂは、９０°分配器１７から図１２のＲＦ信号（０）を受け、同相分配器１６から図１２のＬＯ信号を受けると、そのＬＯ信号を用いて、そのＲＦ信号（０）をホモダイン検波又はヘテロダイン検波することにより、そのＲＦ信号（０）を周波数ｆ０と周波数２ｆ１のＢＢ信号（０）に変換し、周波数ｆ０と周波数２ｆ１のＢＢ信号（０）をＬＰＦ１４ｂに出力する（ステップＳＴ４６）。
なお、図１２の例では、ＲＦ信号（０）とＬＯ信号の位相が直交している。
【００５３】
ＬＰＦ１４ａは、ミキサ１８ａから周波数ｆ０と周波数２ｆ１のＢＢ信号（９０）を受けると、上記実施の形態３と同様に、そのカットオフ周波数ｆｃより高い周波数２ｆ１のＢＢ信号（９０）の通過を阻止して、周波数ｆ０のＢＢ信号（９０）のみを選択装置１５に出力する（ステップＳＴ２７）。
また、ＬＰＦ１４ｂも、ミキサ１８ｂから周波数ｆ０と周波数２ｆ１のＢＢ信号（０）を受けると、上記実施の形態３と同様に、そのカットオフ周波数ｆｃより高い周波数２ｆ１のＢＢ信号（０）の通過を阻止して、周波数ｆ０のＢＢ信号（０）のみを選択装置１５に出力する（ステップＳＴ２８）。
【００５４】
選択装置１５は、ＬＰＦ１４ａからＢＢ信号（９０）を受け、ＬＰＦ１４ｂからＢＢ信号（０）を受けると、上記実施の形態３と同様に、そのＢＢ信号（９０）とＢＢ信号（０）の振幅を比較し（ステップＳＴ２９）、その振幅が高い方のＢＢ信号を選択して上位・復調装置８に出力する（ステップＳＴ３０，ＳＴ３１）。
図１２の例では、ＲＦ信号とＬＯ信号（０）の位相が直交しているので、ＢＢ信号（０）の振幅が低くなり、ＢＢ信号（９０）の振幅の方が高くなるので、ＢＢ信号（９０）を選択して上位・復調装置８に出力する。
上位・復調装置８は、選択装置１５からＢＢ信号を受けると、そのＢＢ信号に対する復調処理を実施して、データを復調する処理を実施する（ステップＳＴ３２）。
【００５５】
以上で明らかなように、この実施の形態４によれば、同相分配器１６により同相分配されたＬＯ信号を用いてＲＦ信号（９０）を検波することにより、そのＲＦ信号（９０）をＢＢ信号（９０）に変換するとともに、同相分配器１６により同相分配されたＬＯ信号を用いてＲＦ信号（０）を検波することにより、そのＲＦ信号（０）をＢＢ信号（０）に変換し、そのＢＢ信号（９０）とＢＢ信号（０）の振幅を比較して、その振幅が高い方のＢＢ信号を選択するように構成したので、アンテナ１により受信されたＲＦ信号とＬＯ信号の位相が直交する場合でも、上位・復調装置８に出力されるＢＢ信号の振幅の低下を防止して、データの復調精度を高めることができる効果を奏する。
【００５６】
実施の形態５．
図１４はこの発明の実施の形態５による受信機を示す構成図であり、図１５はこの発明の実施の形態５による受信機が取り扱う信号の波形を示す説明図である。図において、図１と同一符号は同一または相当部分を示すので説明を省略する。
送信機の送信装置２１はデータの変調信号であるＢＢ信号をミキサ２３に出力する。
ＬＯ信号発振器２２は局部発振信号であるＬＯ信号を発振し、そのＬＯ信号をミキサ２３に出力する。
ミキサ２３は送信装置２１から出力されたＢＢ信号とＬＯ信号発振器２２から出力されたＬＯ信号を掛け合わせてＲＦ信号を生成し、そのＲＦ信号をＢＰＦ２４に出力する。
ＢＰＦ２４はＲＦ信号に含まれている不要波成分を除去するバンドパスフィルタである。
【００５７】
移相装置２５は受信機の制御装置２７から位相の変更要求（制御信号）を受けていなければ、ＢＰＦ２４を通過してきたＲＦ信号の位相を変えることなく、そのままＲＦ信号をアンテナ２６に与えるが、制御装置２７から位相の変更要求（制御信号）を受けると、ＢＰＦ２４を通過してきたＲＦ信号の位相を９０度後ろにずらし、位相変更後のＲＦ信号をアンテナ２６に与える処理を実施する。
アンテナ２６は移相装置２５により与えられたＲＦ信号を送信する。
【００５８】
受信機の制御装置２７は電圧検出装置６により検出されたＢＢ信号の電圧Ｖが基準電圧Ｖrefより低い場合、ＲＦ信号の位相を９０度後ろにずらす変更要求（制御信号）を送信機の移相装置２５に送信する処理を実施する。なお、制御装置２７は制御手段を構成している。
図１６はこの発明の実施の形態５による受信機の処理内容を示すフローチャートである。
【００５９】
次に動作について説明する。
送信機の送信装置２１は、データの変調信号であるＢＢ信号をミキサ２３に出力する。
また、送信機のＬＯ信号発振器２２は、局部発振信号であるＬＯ信号を発振し、そのＬＯ信号をミキサ２３に出力する。
送信機のミキサ２３は、送信装置２１からＢＢ信号を受け、ＬＯ信号発振器２２からＬＯ信号を受けると、そのＢＢ信号とＬＯ信号を掛け合わせてＲＦ信号を生成し、そのＲＦ信号をＢＰＦ２４に出力する。
送信機のＢＰＦ２４は、ミキサ２３からＲＦ信号を受けると、そのＲＦ信号に含まれている不要波成分を除去し、除去後のＲＦ信号を移相装置２５に出力する。
【００６０】
送信機の移相装置２５は、受信機の制御装置２７から位相の変更要求（制御信号）を受信すると、ＢＰＦ２４を通過してきたＲＦ信号の位相を９０度後ろにずらす処理を実施するが、制御装置２７から位相の変更要求（制御信号）を受けていなければ、ＢＰＦ２４を通過してきたＲＦ信号の位相を変えることなく、そのままＲＦ信号をアンテナ２６に与える。
ここでは、説明の便宜上、受信機の制御装置２７から位相の変更要求（制御信号）を受信していないものとし、移相装置２５がＢＰＦ２４を通過してきたＲＦ信号をそのままアンテナ２６に与えるものとする。即ち、移相装置２５が図１５（ａ）のＲＦ信号をアンテナ２６に与えるものとする。
これにより、送信機のアンテナ２６から図１５（ａ）のＲＦ信号（周波数ｆ１のＡＳＫ変調信号）が受信機に向けて送信される。
【００６１】
受信機のアンテナ１は、送信機から送信されるＲＦ信号を受信し、そのＲＦ信号をミキサ４に出力する（ステップＳＴ１）。
一方、受信機のＬＯ信号発振器２は、図１５（ａ）に示すようなＬＯ信号を発振し、そのＬＯ信号をミキサ４に出力する（ステップＳＴ２）。
【００６２】
受信機のミキサ４は、アンテナ１から図１５（ａ）のＲＦ信号を受け、ＬＯ信号発振器２から図１５（ａ）のＬＯ信号を受けると、そのＬＯ信号を用いて、そのＲＦ信号をホモダイン検波又はヘテロダイン検波することにより、そのＲＦ信号を周波数ｆ０と周波数２ｆ１のＢＢ信号に変換し、周波数ｆ０と周波数２ｆ１のＢＢ信号をＬＰＦ５に出力する（ステップＳＴ３）。
なお、図１５（ａ）の場合、ＲＦ信号とＬＯ信号の位相は直交している。
【００６３】
受信機のＬＰＦ５は、カットオフ周波数がｆｃのローパスフィルタであるので、ミキサ４から周波数ｆ０と周波数２ｆ１のＢＢ信号を受けると、そのカットオフ周波数ｆｃより高い周波数２ｆ１のＢＢ信号の通過を阻止して、周波数ｆ０のＢＢ信号のみを電圧検出装置６に出力する（ステップＳＴ４）。
受信機の電圧検出装置６は、ＬＰＦ５から周波数ｆ０のＢＢ信号を受けると、そのＢＢ信号の電圧Ｖを検出する処理を実施する（ステップＳＴ５）。
ここでは、上述したように、ＲＦ信号とＬＯ信号の位相が直交しているため、電圧検出装置６により検出される周波数ｆ０のＢＢ信号の電圧Ｖは略ゼロになる。
【００６４】
受信機の制御装置２７は、電圧検出装置６がＢＢ信号の電圧Ｖを検出すると、そのＢＢ信号の電圧Ｖを基準電圧Ｖrefと比較する（ステップＳＴ６）。
ここで、基準電圧Ｖrefは、上位・復調装置８がデータを正しく復調することが可能な電圧の下限値より若干高めに設定される。通常、０〜１Ｖの範囲の値に設定される。
制御装置２７は、ＢＢ信号の電圧Ｖが基準電圧Ｖrefより低い場合、上位・復調装置８がデータを正しく復調することができないので、ＲＦ信号の位相を９０度後ろにずらす変更要求（制御信号）を送信機の移相装置２５に送信する（ステップＳＴ５１）。
この例では、電圧検出装置６により検出される周波数ｆ０のＢＢ信号の電圧Ｖは略ゼロであるため、制御装置２７が位相の変更要求（制御信号）を送信機の移相装置２５に送信する。
【００６５】
送信機の移相装置２５は、受信機の制御装置２７から位相の変更要求（制御信号）を受信すると、図１５（ｂ）に示すように、ＢＰＦ２４を通過してきたＲＦ信号の位相を９０度後ろにずらす処理を実施し、位相変更後のＲＦ信号をアンテナ２６に与えるようにする。
図１５（ｂ）において、点線が位相変更前のＲＦ信号であり、実線が位相変更後のＲＦ信号である。
これにより、図１５（ｂ）では、ＲＦ信号とＬＯ信号の位相が直交していない状態に変化し、このＲＦ信号がアンテナ２６から送信される。
【００６６】
受信機のアンテナ１は、送信機から位相変更後のＲＦ信号を受信すると、そのＲＦ信号をミキサ４に出力する（ステップＳＴ１）。
一方、受信機のＬＯ信号発振器２は、図１５（ｂ）に示すようなＬＯ信号（図１５（ａ）のＬＯ信号と同じ）を発振し、そのＬＯ信号をミキサ４に出力する（ステップＳＴ２）。
受信機のミキサ４は、アンテナ１から図１５（ｂ）のＲＦ信号を受け、ＬＯ信号発振器２から図１５（ｂ）のＬＯ信号を受けると、そのＬＯ信号を用いて、そのＲＦ信号をホモダイン検波又はヘテロダイン検波することにより、そのＲＦ信号を周波数ｆ０と周波数２ｆ１のＢＢ信号に変換し、周波数ｆ０と周波数２ｆ１のＢＢ信号をＬＰＦ５に出力する（ステップＳＴ３）。
【００６７】
受信機のＬＰＦ５は、ミキサ４から周波数ｆ０と周波数２ｆ１のＢＢ信号を受けると、そのカットオフ周波数ｆｃより高い周波数２ｆ１のＢＢ信号の通過を阻止して、周波数ｆ０のＢＢ信号のみを電圧検出装置６に出力する（ステップＳＴ４）。
受信機の電圧検出装置６は、ＬＰＦ５から周波数ｆ０のＢＢ信号を受けると、そのＢＢ信号の電圧Ｖを検出する処理を実施する（ステップＳＴ５）。
ここでは、上述したように、ＲＦ信号とＬＯ信号の位相が直交していないため、電圧検出装置６により検出される周波数ｆ０のＢＢ信号の電圧Ｖは約５ボルトになる。
【００６８】
受信機の制御装置２７は、電圧検出装置６がＢＢ信号の電圧Ｖを検出すると、そのＢＢ信号の電圧Ｖを基準電圧Ｖrefと比較する（ステップＳＴ６）。
制御装置２７は、ＢＢ信号の電圧Ｖが基準電圧Ｖrefより低い場合、上位・復調装置８がデータを正しく復調することができないので、ＲＦ信号の位相を９０度後ろにずらす変更要求（制御信号）を送信機の移相装置２５に送信するが、ここでは、電圧検出装置６により検出されたＢＢ信号の電圧Ｖが約５ボルトであり、基準電圧Ｖrefより低くないので、位相の変更要求（制御信号）を送信機の移相装置２５に送信しない。即ち、ＲＦ信号とＬＯ信号の位相の関係が図１５（ｂ）の関係を維持するようにする。
【００６９】
上位・復調装置８は、電圧検出装置６により検出されたＢＢ信号の電圧Ｖが基準電圧Ｖref以上になると、ＬＰＦ５から出力された周波数ｆ０のＢＢ信号に対する復調処理を実施して、データを復調する処理を実施する（ステップＳＴ８）。
したがって、上位・復調装置８は、ＲＦ信号とＬＯ信号の位相の関係が図１５（ａ）の関係になるときは、データの復調処理を実施しないが、ＲＦ信号とＬＯ信号の位相の関係が図１５（ｂ）の関係になると、データの復調処理を実施する。
【００７０】
以上で明らかなように、この実施の形態５によれば、ＬＰＦ５から出力された周波数ｆ０のＢＢ信号の電圧Ｖを検出する電圧検出装置６と、その電圧検出装置６により検出されたＢＢ信号の電圧Ｖが基準電圧Ｖrefより低い場合、ＲＦ信号の位相を９０度後ろにずらす変更要求（制御信号）を送信機の移相装置２５に送信するように構成したので、アンテナ１により受信されたＲＦ信号とＬＯ信号の位相が直交する場合でも、ミキサ４により変換されたＢＢ信号の振幅の低下を防止して、データの復調精度を高めることができる効果を奏する。
【００７１】
実施の形態６．
図１７はこの発明の実施の形態６による受信機を示す構成図であり、図１８はこの発明の実施の形態６による受信機が取り扱う信号の波形を示す説明図である。図において、図１と同一符号は同一または相当部分を示すので説明を省略する。
９０°分配器３１はＬＯ信号発振器２により発振されたＬＯ信号を９０度分配して、そのＬＯ信号と同一の信号であるＬＯ信号（０）を出力するとともに、そのＬＯ信号より位相が９０度遅れているＬＯ信号（９０）を出力する。
ＳＰＤＴスイッチ３２は例えばスイッチ３２ｂを閉じているとき、電圧検出装置６により検出されたＢＢ信号の電圧Ｖが基準電圧Ｖrefより低い場合、スイッチ３２ｂを開いてスイッチ３２ａを閉じる切替装置である。なお、９０°分配器３１及びＳＰＤＴスイッチ３２から位相可変手段が構成されている。
図１９はこの発明の実施の形態６による受信機の処理内容を示すフローチャートである。
【００７２】
次に動作について説明する。
送信機が例えば周波数ｆ１のＡＳＫ変調信号であるＲＦ信号の送信を開始すると、アンテナ１が周波数ｆ１のＲＦ信号を受信し、そのＲＦ信号をミキサ４に出力する（ステップＳＴ１）。
一方、受信機のＬＯ信号発振器２は、ＬＯ信号を発振し、そのＬＯ信号を９０°分配器３１に出力する（ステップＳＴ２）。
【００７３】
９０°分配器３１は、ＬＯ信号発振器２からＬＯ信号を受けると、そのＬＯ信号を９０度分配して、そのＬＯ信号と同一の信号であるＬＯ信号（０）を出力するとともに、そのＬＯ信号より位相が９０度遅れているＬＯ信号（９０）を出力する。
ＳＰＤＴスイッチ３２は、例えば、スイッチ３２ｂを閉じて、スイッチ３２ａを開く初期設定がなされている場合、９０°分配器３１から出力されたＬＯ信号（０），ＬＯ信号（９０）のうち、そのＬＯ信号（９０）のみをミキサ４に出力する。
即ち、ＳＰＤＴスイッチ３２は、図１８（ａ）のＬＯ信号（９０）をミキサ４に出力する。
【００７４】
ミキサ４は、アンテナ１から図１８（ａ）のＲＦ信号を受け、ＳＰＤＴスイッチ３２から図１８（ａ）のＬＯ信号（９０）を受けると、そのＬＯ信号（９０）を用いて、そのＲＦ信号をホモダイン検波又はヘテロダイン検波することにより、そのＲＦ信号を周波数ｆ０と周波数２ｆ１のＢＢ信号に変換し、周波数ｆ０と周波数２ｆ１のＢＢ信号をＬＰＦ５に出力する（ステップＳＴ３）。
なお、図１８（ａ）の場合、ＲＦ信号とＬＯ信号（９０）の位相は直交している。
【００７５】
ＬＰＦ５は、カットオフ周波数がｆｃのローパスフィルタであるので、ミキサ４から周波数ｆ０と周波数２ｆ１のＢＢ信号を受けると、そのカットオフ周波数ｆｃより高い周波数２ｆ１のＢＢ信号の通過を阻止して、周波数ｆ０のＢＢ信号のみを電圧検出装置６に出力する（ステップＳＴ４）。
電圧検出装置６は、ＬＰＦ５から周波数ｆ０のＢＢ信号を受けると、そのＢＢ信号の電圧Ｖを検出し（ステップＳＴ５）、そのＢＢ信号の電圧Ｖを基準電圧Ｖrefと比較する（ステップＳＴ６）。
ここでは、上述したように、ＲＦ信号とＬＯ信号（９０）の位相が直交しているため、電圧検出装置６により検出される周波数ｆ０のＢＢ信号の電圧Ｖは略ゼロになる。
【００７６】
電圧検出装置６は、ＢＢ信号の電圧Ｖが基準電圧Ｖrefより低い場合、ＳＰＤＴスイッチ３２のスイッチ３２ａを開いて、スイッチ３２ａを閉じる切替処理を実施する（ステップＳＴ６１）。
これにより、ＳＰＤＴスイッチ３２は、９０°分配器３１から出力されたＬＯ信号（０），ＬＯ信号（９０）のうち、そのＬＯ信号（０）のみをミキサ４に出力するようになる。
即ち、ＳＰＤＴスイッチ３２は、図１８（ｂ）のＬＯ信号（０）をミキサ４に出力するようになる。
【００７７】
ミキサ４は、アンテナ１から図１８（ｂ）のＲＦ信号（図１８（ａ）のＲＦ信号と同じ）を受け、ＳＰＤＴスイッチ３２から図１８（ｂ）のＬＯ信号（０）を受けると、そのＬＯ信号（０）を用いて、そのＲＦ信号をホモダイン検波又はヘテロダイン検波することにより、そのＲＦ信号を周波数ｆ０と周波数２ｆ１のＢＢ信号に変換し、周波数ｆ０と周波数２ｆ１のＢＢ信号をＬＰＦ５に出力する（ステップＳＴ３）。
なお、図１８（ｂ）の場合、ＲＦ信号とＬＯ信号（０）の位相が直交していない。
【００７８】
ＬＰＦ５は、カットオフ周波数がｆｃのローパスフィルタであるので、ミキサ４から周波数ｆ０と周波数２ｆ１のＢＢ信号を受けると、そのカットオフ周波数ｆｃより高い周波数２ｆ１のＢＢ信号の通過を阻止して、周波数ｆ０のＢＢ信号のみを電圧検出装置６に出力する（ステップＳＴ４）。
電圧検出装置６は、ＬＰＦ５から周波数ｆ０のＢＢ信号を受けると、そのＢＢ信号の電圧Ｖを検出し（ステップＳＴ５）、そのＢＢ信号の電圧Ｖを基準電圧Ｖrefと比較する（ステップＳＴ６）。
ここでは、上述したように、ＲＦ信号とＬＯ信号（０）の位相が直交していないため、電圧検出装置６により検出される周波数ｆ０のＢＢ信号の電圧Ｖは約５ボルトになる。
【００７９】
電圧検出装置６は、上記のようにして、ＢＢ信号の電圧Ｖが基準電圧Ｖref以上になると、ＲＦ信号とＬＯ信号（０）の位相の関係を維持するため、ＳＰＤＴスイッチ３２の開閉状態を維持する。
上位・復調装置８は、電圧検出装置６により検出されたＢＢ信号の電圧Ｖが基準電圧Ｖref以上になると、ＬＰＦ５から出力された周波数ｆ０のＢＢ信号に対する復調処理を実施して、データを復調する処理を実施する（ステップＳＴ８）。
したがって、上位・復調装置８は、ＲＦ信号とＬＯ信号の位相の関係が図１８（ａ）の関係になるときは、データの復調処理を実施しないが、ＲＦ信号とＬＯ信号の位相の関係が図１８（ｂ）の関係になると、データの復調処理を実施する。
【００８０】
以上で明らかなように、この実施の形態６によれば、ＬＰＦ５から出力された周波数ｆ０のＢＢ信号の電圧Ｖを検出する電圧検出装置６と、その電圧検出装置６により検出されたＢＢ信号の電圧Ｖが基準電圧Ｖrefより低い場合、ＳＰＤＴスイッチ３２の開閉状態を切り替えて、ミキサ４に与えるＬＯ信号の位相を９０度ずらすように構成したので、アンテナ１により受信されたＲＦ信号とＬＯ信号の位相が直交する場合でも、ミキサ４により変換されたＢＢ信号の振幅の低下を防止して、データの復調精度を高めることができる効果を奏する。
【図面の簡単な説明】
【００８１】
【図１】この発明の実施の形態１による受信機を示す構成図である。
【図２】この発明の実施の形態１による受信機が取り扱う信号の波形を示す説明図である。
【図３】この発明の実施の形態１による受信機が取り扱う信号のスペクトラムを示す説明図である。
【図４】この発明の実施の形態１による受信機の処理内容を示すフローチャートである。
【図５】この発明の実施の形態２による受信機を示す構成図である。
【図６】この発明の実施の形態２による受信機が取り扱う信号の波形を示す説明図である。
【図７】この発明の実施の形態２による受信機の処理内容を示すフローチャートである。
【図８】この発明の実施の形態３による受信機を示す構成図である。
【図９】この発明の実施の形態３による受信機が取り扱う信号の波形を示す説明図である。
【図１０】この発明の実施の形態３による受信機の処理内容を示すフローチャートである。
【図１１】この発明の実施の形態４による受信機を示す構成図である。
【図１２】この発明の実施の形態４による受信機が取り扱う信号の波形を示す説明図である。
【図１３】この発明の実施の形態４による受信機の処理内容を示すフローチャートである。
【図１４】この発明の実施の形態５による受信機を示す構成図である。
【図１５】この発明の実施の形態５による受信機が取り扱う信号の波形を示す説明図である。
【図１６】この発明の実施の形態５による受信機の処理内容を示すフローチャートである。
【図１７】この発明の実施の形態６による受信機を示す構成図である。
【図１８】この発明の実施の形態６による受信機が取り扱う信号の波形を示す説明図である。
【図１９】この発明の実施の形態６による受信機の処理内容を示すフローチャートである。
【符号の説明】
【００８２】
１  アンテナ、２  ＬＯ信号発振器（局部発振信号発振手段）、３  移相装置（位相可変手段）、４  ミキサ（受信信号検波手段）、５  ＬＰＦ（受信信号検波手段）、６  電圧検出装置（電圧検出手段）、７  制御装置（位相可変手段）、８  上位・復調装置（信号復調手段）、９  制御装置（位相可変手段）、１０  移相装置（位相可変手段）、１１  ９０°分配器（９０度分配手段）、１２  同相分配器（受信信号検波手段）、１３ａ  ミキサ（受信信号検波手段）、１３ｂ  ミキサ（受信信号検波手段）、１４ａ  ＬＰＦ（受信信号検波手段）、１４ｂ  ＬＰＦ（受信信号検波手段）、１５  選択装置（受信信号選択手段）、１６  同相分配器（局部発振信号発振手段）、１７  ９０°分配器（９０度分配手段）、１８ａ  ミキサ（受信信号検波手段）、１８ｂ  ミキサ（受信信号検波手段）、２１  送信装置、２２  ＬＯ信号発振器、２３  ミキサ、２４  ＢＰＦ、２５  移相装置、２６  アンテナ、２７  制御装置（制御手段）、３１  ９０°分配器（位相可変手段）、３２  ＳＰＤＴスイッチ（位相可変手段）、３２ａ  スイッチ、３２ｂ  スイッチ。
【図１】
2007068029.tif 000003
【図２】
2007068029.tif 000004
【図３】
2007068029.tif 000005
【図４】
2007068029.tif 000006
【図５】
2007068029.tif 000007
【図６】
2007068029.tif 000008
【図７】
2007068029.tif 000009
【図８】
2007068029.tif 000010
【図９】
2007068029.tif 000011
【図１０】
2007068029.tif 000012
【図１１】
2007068029.tif 000013
【図１２】
2007068029.tif 000014
【図１３】
2007068029.tif 000015
【図１４】
2007068029.tif 000016
【図１５】
2007068029.tif 000017
【図１６】
2007068029.tif 000018
【図１７】
2007068029.tif 000019
【図１８】
2007068029.tif 000020
【図１９】
2007068029.tif 000021